(57)【要約】      （修正有）【課題】比較的大きな画面を有するディスプレイを手の甲の領域において安定して固定しうるディプレイ保持装置を提供する。【解決手段】ディスプレイ保持装置１０は、板状のベース本体部２０と、ベース本体部の一方面に載置されるディスプレイ部３０と、ベース本体部の他方面における一方端辺に接続された手首用止着部材４０と、ベース本体部の他方面における他方端辺に接続された指用止着部材４２，４４と、を備える。ディスプレイ保持装置１０は、手首用止着部材４０が使用者の手首に止着され、指用止着部材４２，４４が、それぞれ小指および親指に止着されることで、ディスプレイ部３０が手の甲の領域に配置される。【選択図】図３
0003201827.tif 000002
【実用新案登録請求の範囲】
【請求項１】
板状のベース本体部と、
前記ベース本体部の一方面に載置されるディスプレイ部と、
前記ベース本体部の他方面における一方端辺に接続された手首用止着部材と、
前記ベース本体部の他方面における他方端辺に接続された２以上の指用止着部材と、
を備え、
前記手首用止着部材が手首に止着され、前記指用止着部材が２以上の指に止着されることで、前記ディスプレイ部が手の甲の領域に配置されるように形成されることを特徴とする、ディスプレイ保持装置。
【請求項２】
前記指用止着部材は、小指と親指に止着されるように前記ベース本体部に接続されることを特徴とする、請求項１に記載のディスプレイ保持装置。
【請求項３】
前記ディスプレイ部は、表示部と前記表示部を保持するための台部とを含み、
前記台部において、
前記表示部を保持するための保持面は、略平面に形成され、
前記保持面とは反対側の面は、上に凸に湾曲して形成され、前記ベース本体部に固着されることを特徴とする、請求項１または請求項２に記載のディスプレイ保持装置。
【考案の詳細な説明】
【技術分野】
【０００１】  本考案は、ディスプレイ保持装置であって、特に、手の甲の領域にディスプレイを保持するようにしたディスプレイ保持装置に関する。
【背景技術】
【０００２】  従来からウェアラブル端末として、たとえば、腕時計が広く普及している。腕時計には、手首の部分に、その手首の幅に応じた大きさの時計が配置されるように構成されている。また、近年、腕時計における時計機能の表示、その他、時計以外の情報（たとえば、スケジュール等）の表示が、ディスプレイにより表示されるようにしたウェアラブル端末も提案されている。
このような腕時計の表示部分や該ディスプレイは、シャツや袖の中に隠れることで、必要なときに、瞬時に視認することが困難であった。また、該腕時計の表示部分や該ディスプレイは、表示される情報量が手首の幅に応じた大きさに制限されるため、やはり、視認性が低減するといった問題があった。【０００３】  そこで、たとえば、時計を常に見やすい位置に配置できる様に工夫した時計バンドが提案されている（特許文献１を参照）。この時計バンドは、時計バンドの略中間において時計が配置され、該時計バンドの一方端側に小指を入れるための輪状部が形成され、他方端側に面ファスナを設けることで、輪状部に小指に入れ、他方端側を手首に巻くことで固定し、常に見やすい手の甲の領域に、時計の表示部分を配置させるとしたものである。
【先行技術文献】
【特許文献】
【０００４】
【特許文献１】実開平２−１１６８１３号公報
【考案の概要】
【考案が解決しようとする課題】
【０００５】  しかしながら、特許文献１における時計バンドは、一方端側に形成される輪状部に入れられた小指と、時計バンドの他方端側を手首に巻きつけられたバンドとにより固定されるのみであるので、固定が不安定であることから、比較的大きな時計や広い画面を有するディスプレイの固定は困難であった。【０００６】  それゆえに、この考案の主たる目的は、比較的大きな画面を有するディスプレイを手の甲の領域において安定して固定しうるディプレイ保持装置を提供することである。
【課題を解決するための手段】
【０００７】  この考案にかかるディスプレイ保持装置は、板状のベース本体部と、ベース本体部の一方面に載置されるディスプレイ部と、ベース本体部の他方面における一方端辺に接続された手首用止着部材と、ベース本体部の他方面における他方端辺に接続された２以上の指用止着部材と、を備え、手首用止着部材が手首に止着され、指用止着部材が２以上の指に止着されることで、ディスプレイ部が手の甲の領域に配置されるように形成されることを特徴とする、ディスプレイ保持装置である。
また、この考案にかかるディスプレイ保持装置は、指用止着部材が、小指と親指に止着されるようにベース本体部に接続されることが好ましい。
さらに、この考案にかかるディスプレイ保持装置は、ディスプレイ部が、表示部と表示部を保持するための台部とを含み、台部において、表示部を保持するための保持面は、略平面に形成され、保持面とは反対側の面は、上に凸に湾曲して形成され、ベース本体部に固着されることが好ましい。【０００８】  この考案にかかるディスプレイ保持装置によれば、ベース本体部の一方面に載置されるディスプレイ部と、ベース本体部の他方面における一方端辺に接続された手首用止着部材と、ベース本体部の他方面における他方端辺に接続された２以上の指用止着部材と、を備え、手首用止着部材が手首に止着され、指用止着部材が２以上の指に止着されることで、ディスプレイ部が手の甲の領域に配置されるように形成されるので、ベース本体部は、手の甲において、ディスプレイ部が載置されるベース本体部が手の甲の領域に３か所以上で固定され、また、ディスプレイ部が、手首部分より大きい幅の大きい手の甲に配置されることから、手の甲の領域において、比較的大きな画面を有するディスプレイを安定して固定しうるディプレイ保持装置を提供することができる。
また、指用止着部材が、小指と親指に止着されるようにベース本体部に接続されると、手の甲の領域において、広い範囲でベース本体部が固定されると、手の甲において、ディスプレイをより安定して固定することができる。
さらに、ディスプレイ部が、表示部と表示部を保持するための台部とを含み、台部において、表示部を保持するための保持面は、略平面に形成され、保持面とは反対側の面は、上に凸に湾曲して形成され、ベース本体部に固着されると、手の甲の領域の湾曲面に沿うようにベース本体部が固定されるので、手の甲において、ディスプレイをさらに安定して固定することができる。
【考案の効果】
【０００９】  この考案によれば、比較的大きな画面を有するディスプレイを手の甲の領域において安定して固定しうるディプレイ保持装置が得られる。【００１０】  この考案の上述の目的、その他の目的、特徴および利点は、図面を参照して行う以下の考案を実施するための形態の説明から一層明らかとなろう。
【図面の簡単な説明】
【００１１】
【図１】本考案にかかるディスプレイ保持装置の平面図である。
【図２】本考案にかかるディスプレイ保持装置の正面である。
【図３】本考案にかかるディスプレイ保持装置を手に装着した状態を示す図である。
【考案を実施するための形態】
【００１２】  本考案は、たとえば、携帯端末等に使用されるような比較的大きなディスプレイを手の甲に配置するためのディスプレイ保持装置である。以下、詳細に説明する。
【００１３】  図１は、本考案にかかるディスプレイ保持装置の平面図であり、図２は、本考案にかかるディスプレイ保持装置の正面である。また、図３は、本考案にかかるディスプレイ保持装置を手に装着した状態を示す図である。
【００１４】  ディスプレイ保持装置１０は、ベース本体部２０とベース本体部２０の一方面２０ａに載置されるディスプレイ部３０とを含む。
【００１５】  ベース本体部２０は、その一方面２０ａにディスプレイ部３０を載置するために設けられる。ベース本体部２０は、板状に形成される。また、ベース本体部２０は、たとえば、手の甲を覆う程度の大きさに形成される。ベース本体部２０の一方端辺２０ｃは、略直線状に形成される。また、ベース本体部２０の他方端辺側２０ｄは、それぞれの指の付け根の位置の並びに沿うように、ベース本体部２０の外側に向かって凸に湾曲して形成される。ベース本体部２０の材料は、柔軟な可とう性を備えた材料が採用され、たとえば、布、皮革あるいはゴムが用いられる。このように、ベース本体部２０が、可とう性を備えることで、ディスプレイ保持措置１０を手に装着したときに、ベース本体部２０を手の甲の動きに合わせるように湾曲した形状に沿って装着することができる。
【００１６】  ディスプレイ部３０は、表示部３２と表示部３２を保持するための台部３４とを含む。
【００１７】  表示部３２は、薄型のディスプレイ機能を備えたものが採用され、たとえば、液晶ディスプレイあるいは有機ＥＬディスプレイ等である。また、表示部３２は、タッチパネルの機能を有することが好ましい。表示部３２は、略手の甲の大きさで、少なくとも、手首の幅よりも大きな大きさで形成されており、たとえば、矩形に形成される。
【００１８】  台部３４は、表示部３２を保持するために設けられる。台部３４は、その表面に表示部３２を保持するための保持面３４ａが形成される。台部３４の保持面３４ａは、略平面に形成される。また、保持面３４ａとは反対側の面（固着面）３４ｂは、上に凸に湾曲して形成され、ベース本体部２０に固着される。台部３４の材料は、表示部３２を保持するために、ベース本体部２０に採用される材料よりも硬い材料が採用され、たとえば、ゴム、皮革あるいはプラスチック等が用いられる。
【００１９】  さらに、ディスプレイ保持装置１０は、手首用止着部材４０と、２つの指用止着部材４２，４４とを含む。
【００２０】  手首用止着部材４０は、ディスプレイ保持装置１０を使用者の手に装着する際に、その使用者の手首に止着するために設けられる。手首用止着部材４０は、ベース本体部２０の他方面２０ｂにおける一方端辺２０ｃに接続される。手首用止着部材４０の材料は、たとえば、柔軟な可とう性を備えた材料が採用され、たとえば、布、皮革あるいはゴムが用いられる。手首用止着部材４０は、たとえば、帯状に形成され、その一方端および他方端には、面ファスナ４０ａ，４０ｂが配置される。面ファスナ４０ａと面ファスナ４０ｂとを接合することで、手首用止着部材４０は環状になり、使用者の手首に巻きつけることで、手首に止着することができる。
【００２１】  指用止着部材４２，４４は、ディスプレイ保持装置１０を使用者の手に装着する際に、その使用者の指にはめ込み、止着するために設けられる。指用止着部材４２，４４は、ベース本体部２０の他方面２０ｂにおける他方端辺２０ｄに接続される。指用止着部材４２，４４の材料は、たとえば、柔軟な可とう性を備えた材料が採用され、たとえば、布、皮革あるいはゴムが用いることができるし、あるいは、ベース本体部２０に採用される材料よりも硬い材料が採用され、たとえば、金属、ゴム、皮革あるいはプラスチック等を用いることもできる。指用止着部材４２と指用止着部材４４とは、ベース本体部２０の他方端辺２０ｄにおいて、所定の間隔に離間して設けられる。指用止着部材４２，４４は、環状に形成される。ディスプレイ保持装置１０を使用者の左手に装着する場合、指用止着部材４２は、使用者の小指にはめ込まれて小指に止着され、指用止着部材４４は、使用者の親指にはめ込まれて親指に止着される。
【００２２】  図３に、本考案にかかるディスプレイ保持装置を手に装着した状態を示す図である。
ディスプレイ保持装置１０は、まず、使用者の小指に指用止着部材４２がはめ込まれ、使用者の親指に指用止着部材４４がはめ込まれて止着される。続いて、使用者の手首において、手首用止着部材４０の面ファスナ４０ａと面ファスナ４０ｂとを接合することで、手首用止着部材４０が手首に巻きつけられることで、手首に止着される。その結果、ディスプレイ保持装置１０は、そのディスプレイ部が、手の甲の領域に配置されるようにして、使用者の手に安定して装着される。
【００２３】  本実施の形態にかかるディスプレイ保持装置１０によれば、ベース本体部２０の一方面２０ａに載置されるディスプレイ部３０と、ベース本体部２０の他方面２０ｂにおける一方端辺２０ｃに接続された手首用止着部材４０と、ベース本体部２０の他方面２０ｂにおける他方端辺２０ｄに接続された指用止着部材４２，４４と、を備え、手首用止着部材４０が手首に止着され、指用止着部材４２，４４が、小指と親指にそれぞれはめ込まれることで止着されるので、ディスプレイ部３０が使用者の手の甲の領域に配置されるように形成されることから、ベース本体部２０は、使用者の手の甲において、ディスプレイ部３０が載置されるベース本体部２０が手の甲の領域に３か所以上で固定され、また、ディスプレイ部３０が、手首部分より大きい幅の大きい手の甲に配置されることから、手の甲の領域において、比較的大きな画面を有するディスプレイを安定して固定しうるディプレイ保持装置が得られる。
【００２４】  また、本実施の形態にかかるディスプレイ保持装置１０によれば、台部３４が、その表面に表示部３２を保持するための保持面３４ａが形成され、台部３４の保持面３４ａが、略平面に形成されるので、表示部３２を台部３４の保持面３４ａにおいてしっかりと固着することができる。また、保持面３４ａとは反対側の面（固着面）３４ｂは、上に凸に湾曲して形成され、ベース本体部２０に固着されるので、手の甲の領域の湾曲面に沿うようにベース本体部２０が固定されるので、手の甲の領域において、ディスプレイ保持装置１０をより安定して固定することができる。
【００２５】  なお、本実施の形態にかかるディスプレイ保持装置１０は、台部３４が含まれるが、これに限るものではなく、表示部３２が湾曲可能な柔軟な材料により構成される場合は、必ずしも台部３４は必要ない。
【００２６】  また、本実施の形態にかかるディスプレイ保持装置１０は、指用止着部材４２，４４が含まれ、使用者の小指と親指とにそれぞれはめ込まれて使用されるが、これに限るものではなく、たとえば、指用止着部材は、小指と人差し指にはめ込まれて止着可能に形成されてもよく、あるいは、その他の適当な２本以上の指にはめ込まれて止着可能に形成されてもよい。
【００２７】  また、本実施の形態にかかるディスプレイ保持装置は、使用者の手の甲の大きさに応じて種々その大きさが変更可能であることは言うまでもない。
【産業上の利用可能性】
【００２８】  上述したように、この考案によれば、比較的大きな画面を有するディスプレイを視認性よく、安定して使用者の手に装着可能なディスプレイ保持装置を提供することができる。
【符号の説明】
【００２９】  １０  ディスプレイ保持装置
２０  ベース本体部
２０ａ  一方面
２０ｂ  他方面
２０ｃ  一方端辺
２０ｄ  他方端辺
３０  ディスプレイ部
３２  表示部
３４  台部
３４ａ  保持面
３４ｂ  固着面
４０  手首用止着部材
４０ａ，４０ｂ  面ファスナ
４２，４４  指用止着部材
【図１】
0003201827.tif 000003
【図２】
0003201827.tif 000004
【図３】
0003201827.tif 000005